(57)【要約】      （修正有）【課題】簡便に構成すると共に小型化することができ、かつ、良好な通信状態を得ることができる電子機器を提供する。【解決手段】ノートパソコン１００のベース筐体１１０は、演算ユニットとアンテナ１６０とカバー１７０とを保持する。ＬＣＤ筐体１２０は、ＬＣＤ１８０を保持する。ヒンジ１３０は、ベース筐体とＬＣＤ筐体とを回転自在に連結する。ベース筐体には、一辺１１０Ｈの両端の部分を窪ませてなる一対の窪部１１０ｄが形成されている。一対の窪部には、アンテナエレメント１６１が収容されている。ベース筐体において一辺に沿って一対の窪部と各々隣接する一対の端部１１０ｅには、ヒンジが回転自在に連結されている。カバーは、アンテナエレメント１６１を収容し、電波を透過させる材質からなる。【選択図】図２
2020048106.tif 000002
【特許請求の範囲】
【請求項１】
演算を行う演算ユニットと、
前記演算ユニットと接続され電波を送受信可能なアンテナエレメントを備えたアンテナと、
前記アンテナエレメントを収容し、前記アンテナエレメントと対向する部分の少なくとも一部が電波を透過させる材質からなるカバーと、
前記演算ユニットと前記アンテナと前記カバーとを保持する第１筐体と、
前記演算ユニットによって情報を表示させる表示ユニットと、
前記表示ユニットを保持する第２筐体と、
前記第１筐体と前記第２筐体とを回転自在に連結する連結部材と、を有し、
前記第１筐体には、一辺の両端の部分を窪ませてなる一対の窪部が形成され、
前記一対の窪部の少なくとも一方には、前記アンテナエレメントが収容され、
前記第１筐体において前記一辺に沿って前記一対の窪部と各々隣接する一対の端部には、前記連結部材が回転自在に連結されている、電子機器。
【請求項２】
前記第１筐体が、金属からなる、請求項１記載の電子機器。
【請求項３】
前記アンテナエレメントが、板状に形成され、両面の少なくとも一方の面から電波を送受信可能であり、
前記カバーが、前記アンテナエレメントの電波を送受信可能な面と対向する部分から電波を透過させる、請求項１又は請求項２記載の電子機器。
【請求項４】
前記アンテナエレメントの共振周波数が、２．４ＧＨｚ帯以上である、請求項１乃至請求項３のいずれか一項記載の電子機器。
【請求項５】
前記アンテナエレメントが、板状に形成され、前記第１筐体の前記一辺に沿って延伸し、
前記アンテナエレメントと直交する方向において、前記アンテナエレメントから前記第１筐体の最端部までの第１距離が、２．１ｍｍ以上であって２０ｍｍ以下である、請求項１乃至請求項４のいずれか一項記載の電子機器。
【請求項６】
前記第１距離の下限値が、５．０ｍｍ以上である、請求項５記載の電子機器。
【請求項７】
前記アンテナエレメントが、板状に形成され、前記第１筐体の前記一辺に沿って延伸し、
前記第２筐体が、金属からなる部材を含み、
前記第１筐体と前記第２筐体とが３６０度開かれた状態で、前記アンテナエレメントと直交する方向において、前記アンテナエレメントと対面する前記部材までの第２距離が、２．１ｍｍ以上であって２０ｍｍ以下である、請求項１乃至請求項６のいずれか一項記載の電子機器。
【請求項８】
前記第２距離の下限値が、５．０ｍｍ以上である、請求項７記載の電子機器。
【請求項９】
前記アンテナエレメントが、板状に形成され、前記第１筐体の前記一辺に沿って延伸し、
前記第２筐体が、金属からなる部材を含み、
前記第１筐体と前記第２筐体とが閉じられた状態で、前記アンテナエレメントと直交する方向において、前記アンテナエレメントと対面する前記部材までの第３距離が、２．１ｍｍ以上であって２０ｍｍ以下である、請求項１乃至請求項８のいずれか一項記載の電子機器。
【請求項１０】
前記第３距離の下限値が、５．０ｍｍ以上である、請求項９記載の電子機器。
【発明の詳細な説明】
【技術分野】
【０００１】
本発明の実施形態は、電子機器に関する。
【背景技術】
【０００２】
電子機器に通信用のアンテナを設ける技術が知られている。上記の技術に関連して、特許文献１には、アンテナエレメントを機器本体の端部から外側に突出させて設ける構成が開示されている。特許文献２には、アンテナをノートパソコンのヒンジ部付近等に収容して設ける構成が開示されている。
【先行技術文献】
【特許文献】
【０００３】
【特許文献１】特開２０１０−１１４０５号公報
【特許文献２】特開２００４−８８３６０号公報
【発明の概要】
【発明が解決しようとする課題】
【０００４】
本発明の目的は、簡便に構成すると共に小型化することができ、かつ、良好な通信状態を得ることができる電子機器を提供することである。
【課題を解決するための手段】
【０００５】
実施形態に係る電子機器は、演算ユニットと、アンテナと、カバーと、第１筐体と、表示ユニットと、第２筐体と、連結部材と、を有する。前記演算ユニットは、演算を行う。前記アンテナは、前記演算ユニットと接続され電波を送受信可能なアンテナエレメントを備えている。前記カバーは、前記アンテナエレメントを収容し、前記アンテナエレメントと対向する部分の少なくとも一部が電波を透過させる材質からなる。前記第１筐体は、前記演算ユニットと前記アンテナと前記カバーとを保持する。前記表示ユニットは、前記演算ユニットによって情報を表示させる。前記第２筐体は、前記表示ユニットを保持する。前記連結部材は、前記第１筐体と前記第２筐体とを回転自在に連結する。前記第１筐体には、一辺の両端の部分を窪ませてなる一対の窪部が形成されている。前記一対の窪部の少なくとも一方には、前記アンテナエレメントが収容されている。前記第１筐体において前記一辺に沿って前記一対の窪部と各々隣接する一対の端部には、前記連結部材が回転自在に連結されている。
【図面の簡単な説明】
【０００６】
【図１】実施形態のノートパソコン１００を示す斜視図である。
【図２】図１の領域２を拡大して示す斜視図である。
【図３】図１の領域３において、ノートパソコン１００が閉じられた状態と、９０度、１８０度及び３６０度開かれた状態を拡大して示す端面図である。
【図４Ａ】ノートパソコン１００の使用形態１であって、ノートパソコン１００が１００度開かれた状態で金属テーブル２００に置かれ、使用者によってインターネットの閲覧が行われている状態を示す斜視図である。
【図４Ｂ】図４Ａの領域４Ｂを拡大して示す端面図である。
【図５Ａ】ノートパソコン１００の使用形態２であって、ノートパソコン１００が３６０度開かれた状態で使用者に保持され、使用者によってインターネットの閲覧が行われている状態を示す斜視図である。
【図５Ｂ】図５Ａの領域５Ｂを拡大して示す端面図である。
【図６Ａ】ノートパソコン１００の使用形態３であって、ノートパソコン１００が１８０度開かれた状態で金属テーブル２００に置かれ、使用者によってインターネットを閲覧しながらプレゼンテーションが行われている状態を示す斜視図である。
【図６Ｂ】図６Ａの領域６Ｂを拡大して示す端面図である。
【図７Ａ】ノートパソコン１００の使用形態４であって、ノートパソコン１００が閉じられた状態で使用者によって持ち運ばれつつ、インターネットへの接続が継続されている状態を示す斜視図である。
【図７Ｂ】図７Ａの領域７Ｂを示す端面図である。
【発明を実施するための形態】
【０００７】
以下、実施の形態について図面を参照して説明する。なお、開示はあくまで一例にすぎず、以下の実施形態に記載した内容により発明が限定されるものではない。当業者が容易に想到し得る変形は、当然に開示の範囲に含まれる。説明をより明確にするため、図面において、各部分のサイズ、形状等を実際の実施態様に対して変更して模式的に表す場合もある。複数の図面において、対応する要素には同じ参照数字を付して、詳細な説明を省略する場合もある。図面において、ノートパソコン１００の横幅方向Ｘ、奥行方向Ｙ及び高さ方向Ｚを矢印で示している。
【０００８】
図１から図３を参照して、ノートパソコン１００の構成を説明する。
【０００９】
ノートパソコン１００（請求項では電子機器と称する）において、ベース筐体１１０（請求項では第１筐体と称する）とＬＣＤ筐体１２０（請求項では第２筐体と称する）が、ヒンジ１３０（請求項では連結部材と称する）によって回転自在に連結されている。ベース筐体１１０には、演算ユニット１４０、入力ユニット１５０、アンテナ１６０及びカバー１７０が保持されている。ＬＣＤ筐体１２０には、ＬＣＤ１８０（請求項では表示部材と称する）が保持されている。ノートパソコン１００を構成しているベース筐体１１０からＬＣＤ１８０について順に説明する。
【００１０】
ベース筐体１１０は、図１に示すように、演算ユニット１４０とアンテナ１６０とカバー１７０とを保持している。ベース筐体１１０には、図１及び図２に示すように、一辺１１０Ｈの両端の部分を窪ませてなる一対の窪部１１０ｄが形成されている。一対の窪部１１０ｄには、アンテナエレメント１６１が収容されている。ベース筐体１１０において一辺１１０Ｈに沿って一対の窪部１１０ｄと隣り合う各々の端部１１０ｅには、ヒンジ１３０が回転自在に連結されている。
【００１１】
ベース筐体１１０は、表面部１１０ａと裏面部１１０ｂが側面部１１０ｃを介して対向した箱状に形成されている。表面部１１０ａの側には、入力ユニット１５０が設けられている。裏面部１１０ｂの側の四隅には、脚部１１０ｆが形成されている。ベース筐体１１０は、金属からなる。
【００１２】
ＬＣＤ筐体１２０は、図１から図３に示すように、ＬＣＤ１８０を保持する。ＬＣＤ筐体１２０は、ＬＣＤカバー１２１によってＬＣＤ１８０を裏面側から支持し、ＬＣＤマスク１２２によってＬＣＤの外縁を表面側から支持している。
【００１３】
ヒンジ１３０は、図１及び図２に示すように、ベース筐体１１０とＬＣＤ筐体１２０とを回転自在に連結する。ヒンジ１３０は、図２に示すように、回動部１３０ａと、ベース筐体１１０の端部１１０ｅに固定される第１金具１３０ｂと、ＬＣＤ筐体１２０の外縁部分に固定される第２金具１３０ｃから構成されている。ヒンジ１３０によって、ベース筐体１１０を基準として、ＬＣＤ筐体１２０を回転させる場合、その角度はベース筐体１１０に対するＬＣＤ筐体１２０の相対的な角度を称する。
【００１４】
演算ユニット１４０は、図１に示し、演算を行う。演算ユニット１４０は、ＲＯＭ（Ｒｅａｄ  Ｏｎｌｙ  Ｍｅｍｏｒｙ）、ＣＰＵ（Ｃｅｎｔｒａｌ  Ｐｒｏｃｅｓｓｉｎｇ  Ｕｎｉｔ）及びＲＡＭ（Ｒａｎｄｏｍ  Ａｃｃｅｓｓ  Ｍｅｍｏｒｙ）等を実装した基板等を備えている。
【００１５】
入力ユニット１５０は、図１に示すように、キーボード１５０Ｍとタッチパッド１５０Ｎから構成されている。キーボード１５０Ｍとタッチパッド１５０Ｎは、それぞれベース筐体１１０に設けられ、演算ユニット１４０と接続されている。
【００１６】
アンテナ１６０は、図１から図３に示すように、演算ユニット１４０と接続され電波を送受信可能なアンテナエレメント１６１と、アンテナグラウンド１６２を備えている。アンテナエレメント１６１は、板状に形成され、ベース筐体１１０の一辺１１０Ｈに沿って延伸している。アンテナエレメント１６１は、ベース筐体１１０の窪部１１０ｄに設けられている。アンテナエレメント１６１は、両面（一面１６１ａ及び他面１６１ｂ）から電波を送受信可能に構成している。なお、アンテナエレメント１６１は、一般的なアンテナエレメントと同様に、片面（一面１６１ａ又は他面１６１ｂ）から電波を送受信可能に構成してもよい。アンテナエレメント１６１の共振周波数は、２．４ＧＨｚ帯以上である。アンテナグラウンド１６２は、ベース筐体１１０に支持されている。アンテナグラウンド１６２は、十分なグラウンド面積を確保するため、ネジや両面テープによって、高周波的に導通されている。
【００１７】
アンテナ１６０は、図２に示すように、ベース筐体１１０に設けられたアンテナエレメント１６１が、ベース筐体１１０に設けられたヒンジ１３０の第１金具１３０ｂと、ベース筐体１１０の一辺１１０Ｈに沿って隣り合うように構成されている。このような構成によって、アンテナエレメント１６１とヒンジ１３０が対向して干渉するようなことを防止して、アンテナエレメント１６１の通信障害を十分に軽減可能にしている。
【００１８】
アンテナエレメント１６１と直交する方向において、アンテナエレメント１６１からベース筐体１１０の最端部までの第１距離Ｌ１は、２．１ｍｍ以上であって２０ｍｍ以下である。ここで、図３に示すように、第１距離Ｌ１は、アンテナエレメント１６１からベース筐体１１０の他方（裏面側）の脚部１１０ｆまでの距離である。第１距離Ｌ１は、ノートパソコン１００のベース筐体１１０の裏面側に金属部材が接触している場合に、アンテナエレメント１６１による通信が阻害されない距離を考慮して設定している。ベース筐体１１０とＬＣＤ筐体１２０とが３６０度開かれた状態で、アンテナエレメント１６１と直交する方向において、アンテナエレメント１６１と対面するＬＣＤカバー１２１までの第２距離Ｌ２が、２．１ｍｍ以上であって２０ｍｍ以下である。ベース筐体１１０とＬＣＤ筐体１２０とが閉じられた状態で、アンテナエレメント１６１と直交する方向において、アンテナエレメント１６１と対面するＬＣＤカバー１２１までの第３距離Ｌ３が、２．１ｍｍ以上であって２０ｍｍ以下である。
【００１９】
アンテナエレメント１６１と金属製の部材との距離Ｌを様々に変化させて、２．４ＧＨｚ帯及び５．０ＧＨｚ帯におけるアンテナ１６０の通信特性を実験によって検証した結果を表１に示す。この検証の結果は、一例である。金属製の部材には、実験において、銅板を用いた。アンテナエレメント１６１と金属製の部材との距離Ｌが２．１ｍｍ未満の場合、通信特性が悪い（×）となった。アンテナエレメント１６１と金属製の部材との距離Ｌが２．１ｍｍ以上であって４．２未満の場合、通信特性は可（△）となった。アンテナエレメント１６１と金属製の部材との距離Ｌが４．２ｍｍ以上であって５．０未満の場合、通信特性は良好（○）となった。アンテナエレメント１６１と金属製の部材との距離Ｌが５．０ｍｍ以上の場合、通信特性は非常に良好（◎）となった。
【００２０】
【表１】
2020048106.tif 000003
【００２１】
カバー１７０は、図１から図３に示すように、アンテナエレメント１６１を収容し、電波を透過させる例えばプラスチックからなる。カバー１７０は、アンテナエレメント１６１の両面（一面１６１ａ及び他面１６１ｂ）と対向する両側（一側面部１７０ａ及び他側面部１７０ｂ）から電波を透過させる。カバー１７０は、インサート成型されておらず、ベース筐体１１０と一体化するようなデザイン性を重視した塗装が施されている。カバー１７０は、ベース筐体１１０の窪部１１０ｄを覆うように設けられている。
【００２２】
ＬＣＤ１８０は、図１から図３に示すように、演算ユニット１４０によって情報を表示させる。ＬＣＤ（ｌｉｑｕｉｄ  ｃｒｙｓｔａｌ  ｄｉｓｐｌａｙ）１８０は、表示ユニットの一例であって、液晶ディスプレイである。表示ユニットには、有機エレクトロルミネッセンスディスプレイを用いてもよい。ＬＣＤ１８０は、ＬＣＤ筐体１２０に保持されている。
【００２３】
図４Ａ及び図４Ｂを参照して、ノートパソコン１００の使用形態１を説明する。
【００２４】
図４Ａに示すように、使用形態１では、ノートパソコン１００が１００度開かれた状態で金属テーブル２００に置かれている。ここで、ノートパソコン１００は、使用者によってインターネットの閲覧が行われている。
【００２５】
図４Ｂに示すように、アンテナエレメント１６１の下方には、金属テーブル２００が存在する。アンテナエレメント１６１の一面１６１ａ側は、カバー１７０の一側面部１７０ａを介して、金属テーブル２００の天板２０１と対向している。ここで、天板２０１は、金属によって形成されていることから、電波による通信を阻害する要因となる。天板２０１は、例えば木材からなる支持部材２０２によって支持されている。しかしながら、ベース筐体１１０におけるアンテナエレメント１６１の位置は、ベース筐体１１０の脚部１１０ｆが天板２０１に接触した状態で、アンテナエレメント１６１と天板２０１の第１距離Ｌ１が通信障害を生じない程度に離れるように設定されている。すなわち、図４Ｂに示す状態において、アンテナエレメント１６１によって送受信される電波は、そのアンテナエレメント１６１の下方に位置する天板２０１による遮蔽や吸収の影響が十分に軽減される。
【００２６】
図４Ｂに示すように、アンテナエレメント１６１の上方の少なくとも近傍には、通信障害を生じる構造物が見当たらない。アンテナエレメント１６１の他面１６１ｂ側は、カバー１７０の他側面部１７０ｂを介して、ノートパソコン１００の上方の空間と対向している。すなわち、図４Ｂに示す状態において、アンテナエレメント１６１によって送受信される電波は、そのアンテナエレメント１６１の上方における遮蔽や吸収の影響が十分に軽減される。
【００２７】
図５Ａ及び図５Ｂを参照して、ノートパソコン１００の使用形態２を説明する。
【００２８】
図５Ａに示すように、使用形態２では、ノートパソコン１００が３６０度開かれた状態で使用者に保持されている。ここで、ノートパソコン１００は、使用者によってインターネットの閲覧が行われている。
【００２９】
図５Ｂに示すように、アンテナエレメント１６１の下方の少なくとも近傍には、通信障害を生じる構造物が見当たらない。アンテナエレメント１６１の他面１６１ｂ側は、カバー１７０の他側面部１７０ｂを介して、ノートパソコン１００の下方の空間と対向している。すなわち、図５Ｂに示す状態において、アンテナエレメント１６１によって送受信される電波は、そのアンテナエレメント１６１の下方における遮蔽や吸収の影響が十分に軽減される。
【００３０】
図５Ｂに示すように、アンテナエレメント１６１の上方には、ＬＣＤ筐体１２０が存在する。アンテナエレメント１６１の一面１６１ａ側は、カバー１７０の一側面部１７０ａを介して、ＬＣＤ筐体１２０のＬＣＤカバー１２１と対向している。ここで、ＬＣＤカバー１２１は、金属によって形成されていることから、電波による通信を阻害する要因となる。しかしながら、ベース筐体１１０におけるアンテナエレメント１６１の位置は、ベース筐体１１０の脚部１１０ｆがＬＣＤカバー１２１に接触した状態で、アンテナエレメント１６１とＬＣＤカバー１２１との第２距離Ｌ２が通信障害を生じない程度に離れるように設定されている。すなわち、図５Ｂに示す状態において、アンテナエレメント１６１によって送受信される電波は、そのアンテナエレメント１６１の上方に位置するＬＣＤカバー１２１による遮蔽や吸収の影響が十分に軽減される。
【００３１】
図６Ａ及び図６Ｂを参照して、ノートパソコン１００の使用形態３を説明する。
【００３２】
図６Ａに示すように、使用形態３では、ノートパソコン１００が１８０度開かれた状態で金属テーブル２００に置かれている。ここで、ノートパソコン１００は、使用者（図６Ａ中の左側）とクライアント（図６Ａ中の右側）よってインターネットの閲覧が行われている。更に、使用者からクライアントに対してプレゼンテーションが行われている。
【００３３】
図６Ｂに示すように、アンテナエレメント１６１の下方には、金属テーブル２００が存在する。アンテナエレメント１６１の下方における通信状態は、図４Ｂを参照しながら説明した状態と同様である。すなわち、アンテナエレメント１６１によって送受信される電波は、遮蔽や吸収の影響が十分に軽減される。
【００３４】
図６Ｂに示すように、アンテナエレメント１６１の上方の少なくとも近傍には、通信障害を生じる構造物が見当たらない。アンテナエレメント１６１の上方における通信状態は、図４Ｂを参照しながら説明した状態と同様である。すなわち、アンテナエレメント１６１によって送受信される電波は、遮蔽や吸収の影響が十分に軽減される。
【００３５】
図７Ａ及び図７Ｂを参照して、ノートパソコン１００の使用形態４を説明する。
【００３６】
図７Ａに示すように、使用形態４では、ノートパソコン１００が閉じられた状態で使用者によって持ち運ばれている。ここで、ノートパソコン１００は、インターネットへの接続が継続されている。
【００３７】
図７Ｂに示すように、アンテナエレメント１６１の右方（一方）の近傍には、ＬＣＤ筐体１２０が存在する。アンテナエレメント１６１の他面１６１ｂ側は、カバー１７０の他側面部１７０ｂ及びＬＣＤ筐体１２０のＬＣＤマスク１２２を介して、ＬＣＤ筐体１２０のＬＣＤカバー１２１と対向している。ここで、ＬＣＤマスク１２２は、プラスチックによって形成されていることから、電波による通信を阻害する要因とならない。一方、ＬＣＤカバー１２１は、金属によって形成されていることから、電波による通信を阻害する要因となる。しかしながら、ベース筐体１１０におけるアンテナエレメント１６１の位置は、ベース筐体１１０の表面部１１０ａ（最端部）がＬＣＤ１８０に近接した状態で、アンテナエレメント１６１とＬＣＤカバー１２１との第３距離Ｌ３が通信障害を生じない程度に離れるように設定されている。すなわち、図７Ｂに示す状態において、アンテナエレメント１６１によって送受信される電波は、そのアンテナエレメント１６１の右方に位置するＬＣＤカバー１２１による遮蔽や吸収の影響が十分に軽減される。
【００３８】
図７Ｂに示すように、アンテナエレメント１６１の左方（他方）の少なくとも近傍には、通信障害を生じる構造物が見当たらない。アンテナエレメント１６１の一面１６１ａ側は、カバー１７０の一側面部１７０ａを介して、ノートパソコン１００の左方の空間と対向している。すなわち、図７Ｂに示す状態において、アンテナエレメント１６１によって送受信される電波は、そのアンテナエレメント１６１の左方における遮蔽や吸収の影響が十分に軽減される。
【００３９】
図１から図７Ｂを参照して、ノートパソコン１００の効果を説明する。
【００４０】
実施形態によれば、ベース筐体１１０がアンテナ１６０と共に演算ユニット１４０を保持していることから、ヒンジ１３０の回転動作に影響を受けることなく、アンテナエレメント１６１と演算ユニット１４０の接続を維持することができる。したがって、アンテナエレメント１６１と演算ユニット１４０を接続する配線等を、ヒンジ１３０と連動させたり補強したりすることが不要となる。この結果、ノートパソコン１００を簡便に構成することができる。
【００４１】
更に、ベース筐体１１０の一辺１１０Ｈの両端に形成された一対の窪部１１０ｄにアンテナエレメント１６１が収容され、かつ、一対の窪部１１０ｄと各々隣接する一対の端部１１０ｅにヒンジ１３０が連結されている。この構成では、ベース筐体１１０において、アンテナエレメント１６１が一対のヒンジ１３０の外側に位置している。すなわち、ベース筐体１１０において、アンテナエレメント１６１を既存のスペースに設けることによって、新たなスペースを必要としていない。したがって、アンテナ１６０をベース筐体１１０の空きスペースに設けることができる。この結果、ノートパソコン１００を小型化することができる。
【００４２】
更に、電波を透過させるカバー１７０にアンテナエレメント１６１が収容されていることから、通信を阻害するような金属製の構造物からアンテナエレメント１６１を物理的に離すことができる。特に、この構成では、アンテナエレメント１６１がノートパソコン１００から露出していない。したがって、金属製の構造物に起因する通信障害を避けることができる。この結果、ノートパソコン１００の通信状態を良好に保つことができる。
【００４３】
上述した通り、実施形態のノートパソコン１００は、簡便に構成すると共に小型化することができ、かつ、良好な通信状態を得ることができる。
【００４４】
実施形態によれば、ベース筐体１１０が、金属からなる。このような構成にすることによって、ベース筐体１１０の剛性を維持しつつ、より小型化することができる。ベース筐体１１０は、アンテナエレメント１６１と対面していないことから、通信障害の発生を抑制することができる。
【００４５】
実施形態によれば、アンテナエレメント１６１が、板状に形成され、両面（一面１６１ａ及び他面１６１ｂ）の少なくとも一方の面から電波を送受信可能である。特に、実施形態では、一例として、アンテナエレメント１６１が、両面から電波を送受信可能に構成している。このような構成の場合、カバー１７０が、アンテナエレメント１６１の電波を送受信可能な両面と対向する部分（一側面部１７０ａ及び他側面部１７０ｂ）から電波を透過させる。このような構成にすることによって、通信可能な空間領域を増やして、通信障害を生じる金属製の構造物等が存在しても、通信障害を発生させ難くすることができる。ここで、アンテナエレメント１６１の片側（一面１６１ａ又は他面１６１ｂ）のみから電波を送受信可能に構成する場合は、ノートパソコン１００の想定される使用形態に応じて、より通信障害を発生させ難くすることができる一面１６１ａ又は他面１６１ｂの一方の面のみから電波を輻射させる構成とする。
【００４６】
実施形態によれば、アンテナエレメント１６１の共振周波数が、２．４ＧＨｚ帯以上である。このような構成にすることによって、アンテナエレメント１６１の横幅方向Ｘの幅を短くして、一対のヒンジ１３０間の距離を長くすることができる。なお、アンテナエレメント１６１の共振周波数と、アンテナエレメント１６１の横幅方向Ｘの幅は、反比例する。したがって、一対のヒンジ１３０間に、ノートパソコンを構成する部材を十分に設けることができる。すなわち、左右のヒンジ１３０間を広く保つために、各々のヒンジ１３０の外側の寸法は小さい方が好ましい。左右のヒンジ１３０間には、ノートパソコンを構成する部材として、例えば、基板、冷却ファン、その冷却ファン用の通気口、バッテリー等を設けることができる。ここで、アンテナ１６０の性能について、２．４ＧＨｚ帯以上の周波数において、−８ｄＢ以上のアンテナ効率を確保できることを実験によって確認した。
【００４７】
実施形態によれば、アンテナエレメント１６１と直交する方向において、アンテナエレメント１６１からベース筐体１１０の最端部までの第１距離Ｌ１が、２．１ｍｍ以上であって２０ｍｍ以下である。更に、好ましくは、第１距離Ｌ１の下限値が、５．０ｍｍ以上である。このような構成（２．１ｍｍ以上、好ましくは、５．０ｍｍ以上）にすることによって、例えば、ベース筐体１１０とＬＣＤ筐体１２０とが１００度開かれた図４Ｂに示す状態において、アンテナエレメント１６１によって送受信される電波は、そのアンテナエレメント１６１の近傍に位置する天板２０１による遮蔽や吸収の影響が十分に軽減される。又、このような構成（２０ｍｍ以下）にすることによって、ベース筐体１１０の厚みを十分に薄くすることができる。
【００４８】
同様に、例えば、ベース筐体１１０とＬＣＤ筐体１２０とが１８０度開かれた図６Ｂに示す状態において、アンテナエレメント１６１によって送受信される電波は、そのアンテナエレメント１６１の近傍に位置する天板２０１による遮蔽や吸収の影響が十分に軽減される。又、このような構成（２０ｍｍ以下）にすることによって、ベース筐体１１０の厚みを十分に薄くすることができる。
【００４９】
実施形態によれば、ベース筐体１１０とＬＣＤ筐体１２０とが３６０度開かれた状態で、アンテナエレメント１６１と直交する方向において、アンテナエレメント１６１と対面するＬＣＤカバー１２１までの第２距離Ｌ２が、２．１ｍｍ以上であって２０ｍｍ以下である。更に、好ましくは、第２距離Ｌ２の下限値が、５．０ｍｍ以上である。このような構成（２．１ｍｍ以上、好ましくは、５．０ｍｍ以上）にすることによって、例えば、図５Ｂに示す状態において、アンテナエレメント１６１によって送受信される電波が、そのアンテナエレメント１６１の近傍に位置するＬＣＤカバー１２１による遮蔽や吸収の影響が十分に軽減される。又、このような構成（２０ｍｍ以下）にすることによって、ベース筐体１１０の厚みを十分に薄くすることができる。
【００５０】
実施形態によれば、ベース筐体１１０とＬＣＤ筐体１２０とが閉じられた状態で、アンテナエレメント１６１と直交する方向において、アンテナエレメント１６１と対面するＬＣＤカバー１２１までの第３距離Ｌ３が、２．１ｍｍ以上であって２０ｍｍ以下である。更に、好ましくは、第３距離Ｌ３の下限値が、５．０ｍｍ以上である。このような構成（２．１ｍｍ以上、好ましくは、５．０ｍｍ以上）にすることによって、例えば、図７Ｂに示す状態において、アンテナエレメント１６１によって送受信される電波は、そのアンテナエレメント１６１の近傍に位置するＬＣＤカバー１２１による遮蔽や吸収の影響が十分に軽減される。又、このような構成（２０ｍｍ以下）にすることによって、ベース筐体１１０の厚みを十分に薄くすることができる。
【００５１】
又、アンテナエレメント１６１を覆うカバー１７０を、ヒンジ１３０の外側に設けることによって、ベース筐体１１０のインサート成型を不要とした。この結果、ベース筐体１１０を廉価かつ短時間で製造することが可能になった。ここで、５Ｇ搭載のノートパソコンでは、ＷＷＡＮアンテナを４本搭載することが予想されている。この場合、ＷＬＡＮアンテナをヒンジ１３０の外側に実装することがスタンダードになる可能性が高い。
【００５２】
又、アンテナ１６０を、ベース筐体１１０のヒンジ１３０の外側に実装した。ヒンジ１３０の外側への実装は、ヒンジ１３０にケーブルを通す必要がなく、ＬＣＤ１８０の角度が０°や３６０°でも通信性能を確保できるため非常に好ましい。更に、ノートパソコン１００の製造作業性が向上し、かつ、ノートパソコン１００の使用時にアンテナケーブルの断線のリスクを無くすことができた。又、ノートパソコン１００は、優れたデザインを保ちながら、インサート成型を不要とすることができたことから、製造コストとタクトを削減することができた。更に、ノートパソコン１００を狭額縁化することができた。仮に、ＬＣＤ筐体側にＷｉＦｉ（登録商標）アンテナを実装する場合、アンテナ部のみプラスチック筐体とするためにインサート成型が必須となることから、製造コストとタクトが上昇し、かつ、アンテナの設置による広額縁化してしまう。
【００５３】
又、アンテナ１６０の実装位置をベース筐体１１０のヒンジ１３０の外側に制限していることから、ＬＣＤ１８０を閉じた場合（ＬＣＤ角度０°）や、ＬＣＤ１８０を３６０度開いた場合（ＬＣＤ角度３６０°）のようなタブレットとしての使用する場合にも、アンテナ性能を維持することができる。
【００５４】
なお、本発明は上記実施形態そのままに限定されるものではなく、実施段階ではその要旨を逸脱しない範囲で構成要素を変形して具体化できる。又、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００５５】
アンテナエレメント１６１と直交する方向において、アンテナエレメント１６１からベース筐体１１０の最端部までの第１距離Ｌ１は、アンテナエレメント１６１からベース筐体１１０の裏面側の脚部１１０ｆまでの距離であるが、アンテナエレメント１６１からベース筐体１１０の裏面側の表面部１１０ａまでの距離にも相当する。
【符号の説明】
【００５６】
１００…ノートパソコン（電子機器）、１１０…ベース筐体（第１筐体）、１１０ａ…表面部（第１筐体の一方に相当する表面側の最端部）、１１０ｄ…窪部、１１０ｅ…端部、１１０ｆ…脚部（第１筐体の他方に相当する裏面側の最端部）、１１０Ｈ…一辺、１２０…ＬＣＤ筐体（第２筐体）、１２１…ＬＣＤカバー（金属からなる部材）、１２２…ＬＣＤマスク、１３０…ヒンジ（連結部材）、１４０…演算ユニット、１５０…入力ユニット、１６０…アンテナ、１６１…アンテナエレメント、１６１ａ…一面、１６１ｂ…他面、１７０…カバー、１７０ａ…一側面部、１７０ｂ…他側面部、１８０…ＬＣＤ（表示ユニット）、２００…金属テーブル、２０１…天板、２０２…支持部材、Ｌ１…第１距離（アンテナエレメント１６１と直交する方向において、アンテナエレメント１６１からベース筐体１１０の他方に相当する裏面側の最端部までの距離）、Ｌ２…第２距離（ベース筐体１１０とＬＣＤ筐体１２０とが３６０度開かれた状態で、アンテナエレメント１６１と直交する方向において、アンテナエレメント１６１と対面するＬＣＤカバー１２１までの距離）、Ｌ３…第３距離（ベース筐体１１０とＬＣＤ筐体１２０とが閉じられた状態で、アンテナエレメント１６１と直交する方向において、アンテナエレメント１６１と対面するＬＣＤカバー１２１までの距離）
【図１】
2020048106.tif 000004
【図２】
2020048106.tif 000005
【図３】
2020048106.tif 000006
【図４Ａ】
2020048106.tif 000007
【図４Ｂ】
2020048106.tif 000008
【図５Ａ】
2020048106.tif 000009
【図５Ｂ】
2020048106.tif 000010
【図６Ａ】
2020048106.tif 000011
【図６Ｂ】
2020048106.tif 000012
【図７Ａ】
2020048106.tif 000013
【図７Ｂ】
2020048106.tif 000014